【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
それぞれ選択的にシングルモードおよびツインモードで駆動可能な第１の印刷機（４）と第２の印刷機（５）とを含む
印刷システムにおいて、
前記シングルモードでは各印刷機（４，５）がそれぞれ他方の印刷機から独立に印刷タスクを処理し、前記ツインモードでは２つの印刷機（４，５）の双方が少なくとも制御技術的に相互に接続されており、印刷タスクを共通に処理し、
選択的に少なくとも一方の印刷機（４，５）をシングルモードのためにスイッチオンするかまたは２つの印刷機（４，５）の双方をツインモードのためにスイッチオンするスイッチオン操作ユニット（１７，２０，２１）が、例えば少なくとも前記第１の印刷機（４）内に、設けられている
ことを特徴とする印刷システム。
【請求項２】
２つの印刷機（４，５）に対して共通の印刷データ処理装置（３）が設けられており、該共通の印刷データ処理装置（３）は、印刷データを受信して処理し、かつ、スイッチオンされた動作モードに応じて処理された印刷データを一方の印刷機（４，５）または双方の印刷機（４，５）へ出力する、
請求項１記載の印刷システム。
【請求項３】
前記共通の印刷データ処理装置（３）はスイッチオンされた動作モードに応じて各印刷機（４，５）を種々に調整し、
前記共通の印刷データ処理装置（３）は、複数のパターン処理ユニット（ＲＰ１，…，ＲＰｎ）がスイッチオンされた動作モードに応じて種々に編成されおよび／または利用されおよび／または各印刷機（４，５）に対応づけられるパターン処理装置（２９）を含む、
請求項２記載の印刷システム。
【請求項４】
例えば請求項１から３までのいずれか１項記載の、第１の印刷機（４）と第２の印刷機（５）とを含む印刷システムを制御するコンピュータシステムにおいて、
所定のページ記述言語で符号化された印刷データを受信する印刷データインタフェース（３６）と、
印刷タスクの印刷データからパターン画像データを形成する複数のパターン処理ユニット（ＲＰ１，…，ＲＰｎ）を含むパターン処理装置（２９）と、
例えば各印刷機（４，５）との双方向通信のために、パターン画像データを前記第１の印刷機（４）および／または前記第２の印刷機（５）へ選択的に出力する少なくとも１つの印刷インタフェース（３０，３１）と、
一方の印刷機（４，５）から送信されたスイッチオン信号に応答して少なくとも前記複数のパターン処理ユニット（ＲＰ１，…，ＲＰｎ）に対する電圧供給を許可するスイッチオンおよび編成装置（２６，２７，３２，３３）と
を有しており、
前記スイッチオンおよび編成装置（２６，２７，３２，３３）は、さらに、一方の印刷機（４，５）から送信され、当該印刷システムの少なくとも一方の印刷機（４，５）に対してシングルモードまたはツインモードを定めるモードメッセージに応答して、シングルモードでは前記印刷タスクの印刷データが印刷機ごとに独立に処理されて各印刷機（４，５）へ出力されるように、また、ツインモードでは前記印刷タスクの印刷データが２つの印刷機（４，５）へ選択的に出力されるように、少なくとも前記複数のパターン処理ユニット（ＲＰ１，…，ＲＰｎ）を編成する
ことを特徴とするコンピュータシステム。
【請求項５】
少なくとも１つのメインコンピュータ（２６，２７）が設けられており、該メインコンピュータ（２６，２７）がそれぞれ同様に構成された複数のサブコンピュータ（２９；ＲＰ１，…，ＲＰｎ）を制御し、
前記スイッチオンおよび編成装置（２６，２７，３２，３３）は、前記スイッチオン信号の受信後に前記メインコンピュータ（２６，２７）および前記サブコンピュータ（２９；ＲＰ１，…，ＲＰｎ）への電流供給を同時に作動する電力制御装置（３２）を含む、
請求項４記載のコンピュータシステム。
【請求項６】
前記第１の印刷機（４）への接続のためのネットワークインタフェース（３９）が設けられており、該ネットワークインタフェース（３９）を介して前記スイッチオン信号および／または前記モードメッセージが、例えば共通のメッセージとして、伝送される、
請求項４または５記載のコンピュータシステム。
【請求項７】
スイッチオン過程において、操作の設定、当該印刷システム（１）の前記シングルモードまたは前記ツインモードを選択するための設定、印刷データのページ記述言語の設定、印刷速度の設定、印刷画像の解像度の設定、印刷機へ挿入される記録担体の寸法に関する設定、および／または、印刷色の設定が、グラフィックユーザインタフェース（１７，１８）を介して入力されるか、あるいは、読み込まれたモードメッセージに基づいて定められる、
請求項４から６までのいずれか１項記載のコンピュータシステム。
【請求項８】
少なくとも１つの出力インタフェース（３９）を介して、行われた設定が、前記印刷機（４，５）の各制御部（２４，２５，３７，３８）、例えば前記印刷機（４，５）の印刷機構（１９）の制御コンポーネントと、それぞれの操作フィールド（１７，１８）とへ出力される、
請求項７記載のコンピュータシステム。
【請求項９】
それぞれ選択的にシングルモードおよびツインモードで駆動可能な第１の印刷機（４）と第２の印刷機（５）とを含む印刷システムで、
前記シングルモードでは各印刷機（４，５）がそれぞれ他方の印刷機から独立に印刷タスクを処理し、前記ツインモードでは２つの印刷機（４，５）の双方が少なくとも制御技術的に相互に接続されており、印刷タスクを共通に処理する、
印刷システムの制御方法であって、
前記第１の印刷機（４）のスイッチオン操作ユニット（１７，２０，２１）により、選択的に、前記第１の印刷機（４）を前記シングルモードのためにスイッチオンするかあるいは前記２つの印刷機（４，５）の双方を前記ツインモードのためにスイッチオンする
ことを特徴とする印刷システムの制御方法。
【請求項１０】
少なくともシングルモードまたはツインモードで第１の印刷機（４）と第２の印刷機（５）とを含む印刷システムを選択的に動作させるための、例えば請求項９記載の印刷システムの制御方法であって、
コンピュータシステム（３）に、印刷データインタフェース（３６）と、複数のパターン処理ユニット（ＲＰ１，…，ＲＰｎ）を含むパターン処理装置（２９）と、該パターン処理装置（２９）を制御する少なくとも１つの制御コンピュータ（２６，２７）と、スイッチオンおよび編成装置（２６，２７，３２，３３）とが設けられており、
前記印刷データインタフェース（３６）により、所定のページ記述言語で符号化された印刷データを受信し、
前記パターン処理装置（２９）により、印刷タスクの印刷データからパターン画像データを形成し、
シングルモードまたはツインモードでの動作を定めるモード情報を含むスイッチオン信号を当該コンピュータシステム（３）へ送信し、
前記スイッチオンおよび編成装置（２６，２７，３２，３３）により、前記スイッチオン信号に応答して少なくとも前記制御コンピュータ（２６，２７）に対して電圧供給を許可し、さらに、前記モード情報によって、シングルモードで前記印刷タスクの印刷データが印刷機ごとに独立に処理されて各印刷機（４，５）へ出力され、かつ、ツインモードで前記印刷タスクの印刷データが共通に処理されて２つの印刷機（４，５）へ選択的に出力されるように、少なくとも前記パターン処理装置（２９）を編成する
ことを特徴とする印刷システムの制御方法。
【請求項１１】
印刷機ごとに印刷データを独立に処理する際には、第１のグループのパターン処理ユニット（ＲＰ１，…，ＲＰ３）に対して前記第１の印刷機（４）の印刷データの処理のみを許可し、印刷データを共通に処理する際には、前記第１のグループのパターン処理ユニット（ＲＰ１，…，ＲＰ３）に対して全ての印刷機の印刷データの処理を許可する、請求項１０記載の印刷システムの制御方法。
【請求項１２】
コンピュータにロードされて実行される際に、請求項９または１１記載の印刷システムの制御方法を実行するコンピュータプログラム製品。